(57)【特許請求の範囲】
【請求項１】
一部又は全部が透明又は半透明である外装筒体を備え、
前記外装筒体の内部に消火器設置スペースを備え、
前記外装筒体が底部から取外し可能であり、
消火器ボックス兼照明具の底部を上から見た時の形状が四角形であり、
前記底部の前記消火器設置スペースと前記外装筒体との前記四角形の４辺の全てに沿って発光体が備えられたことを特徴とする消火器ボックス兼照明具。
【請求項２】
一部又は全部が透明又は半透明である外装筒体を備え、
前記外装筒体の内部に消火器設置スペースを備え、
前記外装筒体の上部に前記外装筒体から取外し可能な蓋部を備え、
消火器ボックス兼照明具の底部を上から見た時の形状が四角形であり、
前記底部の前記消火器設置スペースと前記外装筒体との前記四角形の４辺の全てに沿って発光体が備えられたことを特徴とする消火器ボックス兼照明具。
【請求項３】
前記発光体がＬＥＤ基板であり、
前記ＬＥＤ基板の上に光拡散用透明板が備えられたことを特徴とする請求項１又は２に記載の消火器ボックス兼照明具。
【発明の詳細な説明】
【技術分野】
【０００１】
本発明は、照明具であって内部に消火器を収納することのできる消火器ボックス兼照明具に関するものである。
【背景技術】
【０００２】
旅館、ホテル、パーティ会場等においては、消防法の規定及び安全上の配慮から一定数の消火器を設置する。しかし、消火器は消火器であることが分かる外観で目立つ赤色なので、消火器が見えるように設置することは、旅館、ホテル、パーティ会場等の雰囲気形成の点で必ずしも好ましいものではない。特に旅館やホテルの宿泊客、パーティの出席者等の来訪者に対して落ち着いた雰囲気を形成したい場合には消火器の外観が雰囲気の形成を妨げてしまう。
この問題の対策として、消火器を格納する消火器ボックスが用いられてきた。消火器ボックスは、消火器を格納して赤色が顧客の目に触れることを防ぎ、かつ、来訪者にはそこに消火器が設置されていることが明らかで消防法の規定に沿い安全上の配慮もなされている。
また、消火器ボックスと発光体を合わせて用いることもあった。特許文献１には、消火器ボックスの上部に発光体を設けて避難経路の誘導を確実にすることが開示されている。
【０００３】
しかし、上記の対策によっても、以下の問題があり、雰囲気形成の点では不十分な効果しか得られていなかった。問題は、消火器ボックスであっても消火器の設置のみを目的として設置される物品であって旅館、ホテル、パーティ会場等に自然に設置されている物品ではないことに起因する。旅館、ホテル、パーティ会場等の通常の内装にはない特別なものが設置されているとの印象を来訪者は持つこととなり、消火器の存在を意識することになる点では、消火器が見えるように設置する場合と同様である。すなわち、従来の消火器ボックスは、旅館、ホテル、パーティ会場等の全体の内装に調和するものではなく、落ち着いた雰囲気を乱してしまうという問題が完全には解決できていなかった。
【先行技術文献】
【特許文献】
【０００４】
【特許文献１】特開２００７−０５０１７３号公報
【発明の概要】
【発明が解決しようとする課題】
【０００５】
解決しようとする問題点は、旅館、ホテル、パーティ会場等の全体の内装に調和し、かつ、安全上問題のなく来訪者に消火器の設置場所を示すことができるような仕組みが存在しない点である。
【課題を解決するための手段】
【０００６】
本発明は、旅館、ホテル、パーティ会場等に通常に設置される照明具であって、その内部に消火器を格納して消火器ボックスを兼用するものを提供することによって、上記課題を解決する。
【０００７】
本発明の消火器ボックス兼照明具は、
一部又は全部が透明又は半透明である外装筒体を備え、
前記外装筒体の内部に消火器設置スペースを備え、
前記外装筒体が底部から取外し可能であり、
消火器ボックス兼照明具の底部を上から見た時の形状が四角形であり、
前記底部の前記消火器設置スペースと前記外装筒体との前記四角形の４辺の全てに沿って発光体が備えられたことを特徴とする。
発光体から発せられた光が外装筒体から消火器ボックス兼照明具の外に出て周囲を照明する。外装筒体は、例えば図１に示すように、旅館、ホテル、パーティ会場等に通常に設置される照明具の形状とすることが好ましい。全体の内装と調和するからである。
外装筒体が底部から取外し可能であり、消化を行う際には外装筒体を底部から取外して内部に格納された消火器を取り出すことが容易である。なお、外装筒体に消火器が格納されていることを表す表示を行うことで、消防法の規定に沿い安全上問題のなく来訪者に消火器の設置場所を示すことができる。
ここで、「外装筒体」とは、その内部に消火器設置スペースのための空間があるような覆いを言う。
発光部と外装筒体との間に消火器が設置されておらず、外装筒体に消火器の影が濃く写ることがない。発光して照明している時の消火器ボックス兼照明具の外観が、通常に設置される照明具により近くなる。
【０００８】
本発明の消火器ボックス兼照明具は、
一部又は全部が透明又は半透明である外装筒体を備え、
前記外装筒体の内部に消火器設置スペースを備え、
前記外装筒体の上部に前記外装筒体から取外し可能な蓋部を備え、
消火器ボックス兼照明具の底部を上から見た時の形状が四角形であり、
前記底部の前記消火器設置スペースと前記外装筒体との前記四角形の４辺の全てに沿って発光体が備えられたことを特徴とする。
外装筒体が底部から取外し可能でなくとも、上部に備えられた蓋部を取外して内部に格納された消火器を取り出すことができる。
【０００９】
本発明の消火器ボックス兼照明具は、
前記発光体がＬＥＤ基板であり、
前記ＬＥＤ基板の上に光拡散用透明板が備えられたことを特徴とする。
【発明の効果】
【００１０】
本発明の消火器ボックス兼照明具は、旅館、ホテル、パーティ会場等に通常に設置される行灯型の照明具と類似形状であり、旅館、ホテル、パーティ会場等の全体の内装に調和し、かつ、安全上問題のなく顧客に消火器の設置場所を示すことができるという利点がある。
【図面の簡単な説明】
【００１１】
【図１】図１は外装筒体の例を示す図である。（実施例１、２）
【図２】図２は消火器ボックス兼照明具の内部の例を示した説明図である。（実施例１）
【図３】図３は底部及びその部品の例を示した説明図である。（実施例１）
【図４】図４は消火器ボックス兼照明具の内部の例を示した説明図である。（実施例２）
【図５】図５は底部及びその部品の例を示した説明図である。（実施例２）
【図６】図６は消火器設置スペースと発光体の位置関係を示した説明図である。（実施例２）
【図７】図７は消火器ボックス兼照明具の例を示した説明図である。（実施例３）
【図８】図８は消火器設置スペースと発光体の位置関係を示した説明図である。（実施例３）
【発明を実施するための形態】
【００１２】
外装筒体の形状及び発光体を備える位置について、各種の実現を行った。
【実施例１】
【００１３】
本実施例は、発光体として通常の電球を用いるものである。図１は、外装筒体の例を示す図である。外装筒体１は、パーティ会場の室名の表示旅館の通路の照明やパーティ会場の室名の表示に用いられる形状であり、違和感なく設置できる。外装筒体１の側板２、側板３及び図示しない他の２つの側板は半透明であり、外装筒体１内部にある発光体から発せられた光が透過する。外装筒体１には、天板４及び握り棒５が備えられている。
【００１４】
図２は、消火器ボックス兼照明具の内部の例を示した説明図である。底板１１に取り付けられた外装ガイド１２は、外装筒体１を保持する。外装筒体１は、外装ガイド１２を離れて上部に移動することができる。来訪者が消火器２０を使用する時は、握り棒５を持って外装筒体１を上部に移動させることで容易に消火器２０を取り出すことができる。
消火器ガイド１４は消火器２０を保持する。消火器２０は、上方に引くことで消火器ガイドを離れる。
消火器ボックス兼照明具の内部には消火器２０が設置される「消火器設置スペース」が確保されている。
天板４には、電球６が取り付けられている。電球６は、図示しない導線によってコンセント等の電源に接続され、発光することができる。電球６から発光された光は側板２、側板３及び図示しない他の２つの側板を透過し、消火器ボックス兼照明具の周囲を照明する。
【００１５】
図３は底部及びその部品の例を示した説明図である。図３（ａ）に示すように、底板１１の周囲に外装ガイド１２が取り付けられている。底板１１の中央部には消火器受け板１３が置かれまたは取り付けられ、消火器受け板１３には消火器ガイド１４が取り付けられている。底板１１、外装ガイド１２、消火器受け板１３及び消火器ガイド１４を合わせたものが底部１０である。図３（ｂ）に底板１１、外装ガイド１２、消火器受け板１３及び消火器ガイド１４の概略形状を示す。
【００１６】
側板２には「消火器」と表示されており、来訪者は消火器ボックス兼照明具に消火器が格納されていることを認識できる。図１では黒く表示されているが、目立たせるために赤く表示することが好ましい。図１では側板３には何も表示されていないが、旅館やホテルの通路において大浴場や宴会場への案内を表示する、パーティ会場において室名を表示する等の表示をしてもよい。
【００１７】
本実施例によれば、以下の効果が得られる。
外装筒体１は旅館、ホテル、パーティ会場等に通常に設置される行灯型の照明具と類似形状であり、旅館、ホテル、パーティ会場等の全体の内装に調和して設置することができる。
側板２に「消火器」と表示することによって、消防法の規定に沿い安全上問題のなく来訪者に消火器の設置場所を示すことができる。
消火器ボックスを兼用した照明具であり、照明効果を得られる。
【実施例２】
【００１８】
本実施例は、発光体としてＬＥＤを用い、発光体を消火器設置スペースと外装筒体との間に配置したものである。図４は、消火器ボックス兼照明具の内部の例を示した説明図である。本実施例において、外装筒体は、天板に電球が取り付けられていないことを除き、実施例１のものと同様である。底部にＬＥＤ発光体２１が設けられていることが、本実施例の特徴である。ＬＥＤ発光体２１は、図示しない導線によってコンセント等の電源に接続され、発光することができる。ＬＥＤ発光体２１から発光された光は側板２、側板３及び図示しない他の２つの側板を透過し、消火器ボックス兼照明具の周囲を照明する。
【００１９】
図５は底部及びその部品の例を示した説明図である。実施例１に示した底板１１、外装ガイド１２、消火器受け板１３及び消火器ガイド１４に加えて、ＬＥＤ基板２１、スペーサ２２及び光拡散用透明板２３が設けられている。
図５（ａ）に示すように、底板１１にＬＥＤ基板２１及びスペーサ２２が取り付けられ、ＬＥＤ基板２１及びスペーサ２２の上に光拡散用透明板２３が取り付けられ、光拡散用透明板２３の上に消火器受け板１３が置かれまたは取り付けられている。スペーサ２２は、消火器受け板１３、消火器ガイド１４及び消火器２０の重量を支えてＬＥＤ基板２１に過大な重量がかからないようにする。光拡散用透明板２３は、ＬＥＤ基板２１から発光される方向性の強い光を拡散して照明に適したものにする。図５（ｂ）に底板１１、外装ガイド１２、ＬＥＤ基板２１、スペーサ２２、光拡散用透明板２３、消火器受け板１３及び消火器ガイド１４の概略形状を示す。
【００２０】
図６は消火器設置スペースと発光体の位置関係を示した説明図である。図６は底部を上から見たものである。消火器設置スペースは消火器ガイド１４に囲まれた中央の部分である。ＬＥＤ基板２１は、消火器設置スペースの外側にある。底板１１の一辺に沿ったＬＥＤ基板２１から発光された光は、光拡散用透明板２３によって拡散され、消火器に遮られずにその一辺の上にある半透明の側板を透過する。したがって、本実施例においては、実施例１と異なり、側板に消火器の影が濃く映ることがない。発光して照明している時の消火器ボックス兼照明具の外観が、通常に設置される照明具により近くなる。
【００２１】
本実施例によれば、実施例１の効果に加えて、側板に消火器の影が濃く映ることがなく、発光して照明している時の消火器ボックス兼照明具の外観が、通常に設置される照明具により近くなるという効果が得られる。
【実施例３】
【００２２】
本実施例は、外装筒体の上部に蓋部を設け、蓋部を取外して消火器を取り出すものである。図７は消火器ボックス兼照明具の例を示した説明図である。底板３１及び消火器受け板３２は円盤形である。消火器ガイド１４は実施例１及び２と同様である。外装筒体３３は、円柱面の形状であり、底板３１に固着されている。外装ガイドは必要としない。外装筒体３３の上に蓋体３４が置かれている。
来訪者が消火器を使用する時は、蓋体を取外して容易に消火器２０を取り出すことができる。外装筒体３３は上に向かって縮小していない円柱面の形状なので、消火器を持ち上げて上から取り出すことの妨げにならない。
【００２３】
図８は消火器設置スペースと発光体の位置関係を示した説明図である。実施例２と同様にＬＥＤ基板３５が消火器設置スペースの外側にあり、側板に消火器の影が濃く映ることがない。
【００２４】
本実施例によれば、実施例１及び２と同様の効果が得られる。
【００２５】
（実施例の変形）
本発明の範囲は上記実施例に限定されるものではなく、さまざまな変形が可能である。以下にかかる変形の例を示す。
発光体は、任意の形状、個数であってよい。例えば、多くの小電球を外装筒体の上部や蓋体に取り付けてもよく、電球を底部に取り付けてもよく、また、電球とＬＥＤを併用してもよい。
消火器の取り出し方は、外装筒体を底部から取り外すまたは蓋体をはずすもの以外のものを付してもよい。例えば、外装筒体の側面に開き戸のような消火器取り出し口を設けても良い。
【産業上の利用可能性】
【００２６】
全体の内装に調和し、かつ、安全上問題のなく顧客に消火器の設置場所を示すことができる消火器ボックス兼照明具であり、旅館、ホテル、パーティ会場等における利用が期待される。
【符号の説明】
【００２７】
１    外装筒体
２    側板
３    側板
４    天板
５    握り棒
６    電球
１０  底部
１１  底板
１２  外装ガイド
１３  消火器受け板
１４  消火器ガイド
２０  消火器
２１  ＬＥＤ基板
２２  スペーサ
２３  光拡散用透明板
３１  底板
３２  消火器受け板
３３  外装筒体
３４  蓋体
３５  ＬＥＤ基板
【図１】
0005419734.tif 000002
【図２】
0005419734.tif 000003
【図３】
0005419734.tif 000004
【図４】
0005419734.tif 000005
【図５】
0005419734.tif 000006
【図６】
0005419734.tif 000007
【図７】
0005419734.tif 000008
【図８】
0005419734.tif 000009